(57)【要約】【課題】特許文献１の無線通信装置は、必ずしも通信に最適な基地局を選択しているとは言えなかった。【解決手段】最適アンプ増幅率演算部５００は、受信した無線信号の受信レベルに対応した所定の増幅率を求める。無線受信部５１０は、所定の増幅率で、受信した無線信号を増幅する。ベースバンド処理部５２０は、通信可能な前記無線基地局毎に、増幅した無線信号から無線基地局が送信したデータを抽出し、データのエラーレートを測定する。通信品質パラメータ演算部５３０は、エラーレートを用いて通信品質に対応する値を算出する。通信品質パラメータ演算部５３０は、算出した通信品質に対応する値の内、最も大きな値の無線基地局を通信先の無線基地局とする。【選択図】      図７
2013207684.tif 000002
【特許請求の範囲】
【請求項１】
複数の通信可能な無線基地局の中から通信先の無線基地局を選択する無線通信装置であって、
受信した無線信号の受信レベルに対応した所定の増幅率を求める最適アンプ増幅率演算部と、
前記所定の増幅率で、受信した前記無線信号を増幅する無線受信部と、
通信可能な前記無線基地局毎に、増幅した前記無線信号から前記無線基地局が送信したデータを抽出し、前記データのエラーレートを測定するベースバンド処理部と、
前記エラーレートを用いて通信品質に対応する値を算出する通信品質パラメータ演算部と、
を備え、
前記通信品質パラメータ演算部は、算出した前記通信品質に対応する値の内、最も大きな値の前記無線基地局を通信先の前記無線基地局とする、
ことを特徴とする無線通信装置。
【請求項２】
前記通信品質パラメータ演算部は、前記エラーレートが所定の値以下である場合に、前記通信品質に対応する値を算出する、
ことを特徴とする請求項１の無線通信装置。
【請求項３】
前記通信品質パラメータ演算部は、前記エラーレートに加えて、前記受信した無線信号の受信レベルも用いて通信品質に対応する値を算出する、
ことを特徴とする請求項１乃至２のいずれか１項に記載の無線通信装置。
【請求項４】
受信した前記無線信号の前記受信レベルが所定値以上の場合に、前記エラーレートに対応した所定のリトライ回数を求める最適リトライ回数演算部と、
前記所定のリトライ回数を前記無線基地局へ送信するリトライ実行部と、
前記無線基地局から送信された信号の前記受信レベルを測定する受信レベル演算部と、を備え、
前記無線受信部は、増幅した前記無線信号の前記受信レベルを測定し、通信可能な前記無線基地局毎に、前記最適リトライ回数演算部は、所定のリトライ回数を求め、前記リトライ実行部は、前記リトライ回数を前記無線基地局へ送信し、前記通信品質パラメータ演算部は、前記エラーレートが所定の値以下である場合に前記通信品質に対応する値を算出するのではなく、前記エラーレートが所定の値以下で、且つ前記無線受信部が測定した前記受信レベルが所定の値以上である場合に、前記エラーレートに加えて、前記無線受信部が測定した前記受信レベルと、前記受信レベル演算部が測定した前記受信レベルとを用いて、前記通信品質に対応する値を算出する、
ことを特徴とする、請求項１乃至２のいずれか１項に記載の無線通信装置。
【請求項５】
前記通信品質パラメータ演算部は、前記無線受信部が測定した前記受信レベルに対して単調増加し、前記エラーレートに対して単調減少する式で、前記通信品質に対応する値を算出する、
ことを特徴とする、請求項４に記載の無線通信装置。
【請求項６】
前記通信品質パラメータ演算部は、算出した前記通信品質に対応する値の内、所定の値以上で、最も大きな値の前記無線基地局を通信先の前記無線基地局とする、
ことを特徴とする、請求項１乃至５のいずれか１項に記載の無線通信装置。
【請求項７】
無線通信装置と無線通信を行う無線基地局であって、
前記無線基地局は、前記無線通信装置から通知された所定の回数分、データを再送することが可能なベースバンド処理部を備えることを特徴とする無線基地局。
【請求項８】
無線通信装置と無線基地局が無線通信を行う無線通信システムであって、
前記無線通信装置は、請求項４乃至６のいずれか１項に記載の無線通信装置であり、
前記無線基地局は、請求項７に記載の無線基地局である、
ことを特徴とする、無線通信システム。
【請求項９】
通信可能な複数の無線基地局の中から通信先の無線基地局を選択する通信先選択方法であって、
受信した無線信号の受信レベルに対応した所定の増幅率を求め、前記所定の増幅率で、受信した前記無線信号を増幅し、通信可能な前記無線基地局毎に、増幅した前記無線信号から前記無線基地局が送信したデータを抽出し、前記データのエラーレートを測定し、前記エラーレートを用いて通信品質に対応する値を算出して、算出した前記通信品質に対応する値の内、最も大きな値の前記無線基地局を通信先の前記無線基地局とする、
ことを特徴とする、通信先選択方法。
【請求項１０】
複数の通信可能な無線基地局の中から通信先の無線基地局を選択する通信先選択方法であって、
通信可能な前記無線基地局毎に、受信した前記無線信号の前記受信レベルが所定値以上の場合に前記エラーレートに対応した所定のリトライ回数を求め、前記所定のリトライ回数を前記無線基地局へ送信し、また、前記無線基地局から送信された信号の前記受信レベル、および増幅した前記無線信号の前記受信レベルを測定し、前記エラーレートが所定の値以下で、且つ増幅した前記無線信号の前記受信レベルが所定の値以上である場合に、前記エラーレートに加え、増幅した前記無線信号の前記受信レベルと、前記無線基地局から送信された信号の前記受信レベルとを用いて、前記通信品質に対応する値を算出する、
ことを特徴とする、請求項９に記載の通信先選択方法。
【発明の詳細な説明】
【技術分野】
【０００１】
本発明は、無線通信装置、通信先選択方法に関し、特に、通信先の無線基地局を複数の通信可能な無線基地局の中から選択する無線通信装置、通信先選択方法に関する。
【背景技術】
【０００２】
一般的に、移動体通信網の無線通信端末は、通信可能な複数の基地局の中から受信電界強度の最も高い基地局、若しくは受信データのエラーレートの最も良い基地局を、通信先の基地局として選択する選択処理を備える。無線通信端末は、例えば、電源投入時やハンドオーバー時に上述の選択処理を実施し、選択した基地局と無線通信を行う。
【０００３】
上述の選択処理を備える無線通信装置は、例えば、特許文献１に開示されている。
【０００４】
特許文献１の無線通信装置は、基地局検出手段と、レベル検出手段と、送信手段と、受信手段と、基地局選択手段と、を備える。基地局検出手段は、複数の基地局からそれぞれ送信される信号を受信して、基地局を検出する。レベル検出手段は、基地局から受信した信号の強度レベルを検出する。送信手段は、基地局検出手段が検出した基地局に対して、確認信号を送信する。受信手段は、送信手段が送信した確認信号に対する応答信号を受信する。基地局選択手段は、受信手段が応答信号を受信した基地局の前記信号強度レベルを比較し、最も高いレベルの基地局を、着信待ち受けに用いる基地局として選択する。
【０００５】
特許文献１の無線通信装置は、基地局検出手段にて、複数の基地局からそれぞれ送信される信号を受信して、基地局を検出する。次に、特許文献１の無線通信装置は、送信手段にて、基地局検出手段が検出した基地局に対して、確認信号を送信し、これに対する応答信号を受信手段で受信する。さらに、特許文献１の無線通信装置は、レベル検出手段にて、基地局から受信した信号の強度レベルを検出し、基地局選択手段にて、信号強度レベルを比較し、最も高いレベルの基地局を、着信待ち受けに用いる基地局として選択する。
【０００６】
特許文献１の無線通信装置は、上述の構成や動作により、信号強度レベルの最も高いレベルの基地局を着信待ち受けに用いる基地局として選択できるようになる。
【先行技術文献】
【特許文献】
【０００７】
【特許文献１】特開２０１０−７４７７９号公報
【発明の概要】
【発明が解決しようとする課題】
【０００８】
しかし、特許文献１の無線通信装置は、必ずしも通信に最適な基地局を選択しているとは言えなかった。以下、その理由を説明する。
【０００９】
まず、一般的な無線通信装置は、受信アンプの増幅率（以下、「アンプ増幅率」という）を一定量大きくすることで、各基地局の受信電界強度（以下、「受信レベル」という）や受信データのエラーレートが改善する場合がある。また、一般的な無線通信装置は、リトライ回数を一定回数増やすことで、受信データのエラーレートが改善する場合がある。ここでのリトライ回数とは、基地局が無線通信装置に送信するデータの最大再送回数のことである。しかし、特許文献１の無線通信装置は、受信レベルやエラーレートが改善するようにアンプ増幅率やリトライ回数を適切に設定した上で、真に受信レベルが最も高い基地局、若しくは真にエラーレートが最も良い基地局を選択していなかった。その為、選択処理を行う一般的な無線通信装置は、必ずしも通信に最適な基地局を選択しているとは言えなかった。
【００１０】
本発明は、上記課題を解決する無線通信装置、通信先選択方法を提供することを目的とする。
【課題を解決するための手段】
【００１１】
上記目的を達成するために、本発明の無線通信装置は、複数の通信可能な無線基地局の中から通信先の無線基地局を選択する無線通信装置であって、受信した無線信号の受信レベルに対応した所定の増幅率を求める最適アンプ増幅率演算部と、前記所定の増幅率で、受信した前記無線信号を増幅する無線受信部と、通信可能な前記無線基地局毎に、増幅した前記無線信号から前記無線基地局が送信したデータを抽出し、前記データのエラーレートを測定するベースバンド処理部と、前記エラーレートを用いて通信品質に対応する値を算出する通信品質パラメータ演算部と、を備え、算出した前記通信品質に対応する値の内、最も大きな値の前記無線基地局を通信先の前記無線基地局とする。
【００１２】
上記目的を達成するために、本発明の通信先選択方法は、通信可能な複数の無線基地局の中から通信先の無線基地局を選択する通信先選択方法であって、受信した無線信号の受信レベルに対応した所定の増幅率を求め、前記所定の増幅率で、受信した前記無線信号を増幅し、通信可能な前記無線基地局毎に、増幅した前記無線信号から前記無線基地局が送信したデータを抽出し、前記データのエラーレートを測定し、前記エラーレートを用いて通信品質に対応する値を算出して、算出した前記通信品質に対応する値の内、最も大きな値の前記無線基地局を通信先の前記無線基地局とする。
【発明の効果】
【００１３】
本発明によれば、選択処理を行う無線通信装置は、複数の通信可能な無線基地局の中から通信に最適な基地局を選択できるようになる。
【図面の簡単な説明】
【００１４】
【図１】本発明の第１の実施の形態における無線通信装置の構成例を示す図である。
【図２】本発明の第１の実施の形態における無線通信装置を構成する無線送受信部２の構成例を示す図である。
【図３】本発明の第１の実施の形態における無線通信装置を構成する無線制御部３の構成例を示す図である。
【図４】第１の実施の形態における無線通信装置が、複数の基地局と無線通信可能な場合を示す図である
【図５】本発明の第１の実施の形態における無線通信装置が、通信可能な複数の無線基地局の中から通信先の無線基地局を選択する通信先選択動作を示すシーケンス図である。
【図６】本発明の第１の実施の形態における基地局情報テーブル保存部４が通信品質を示す値Ｆを記録した状態を示す図である。
【図７】本発明の第２の実施の形態における無線通信装置の構成を示す図である。
【発明を実施するための形態】
【００１５】
次に本発明の実施形態について、図面を参照して詳細に説明する。
【００１６】
［第１の実施の形態］
［構成の説明］
図１は、本発明の第１の実施の形態における無線通信装置の構成例を示す図である。また、図２は、本発明の第１の実施の形態における無線通信装置を構成する無線送受信部２の構成例を示す図である。さらに、図３は、本発明の第１の実施の形態における無線通信装置を構成する無線制御部３の構成例を示す図である。
【００１７】
（１）無線通信装置の構成の説明
図１に示されるように、第１の実施の形態における無線通信装置は、無線送受信部２と、無線制御部３と、基地局情報テーブル保存部４とから構成される。無線送受信部２は無線制御部３と接続され、無線制御部３は基地局情報テーブル保存部４と接続される。無線送受信部２は無線伝送路と接続される。
【００１８】
（１−１）無線送受信部２の構成説明
次に、図２に示されるように、無線送受信部２は、無線送信部２１と、無線受信部２２と、ベースバンド処理部２３から構成される。無線送信部２１は、ベースバンド処理部２３と接続され、ベースバンド処理部２３は、無線受信部２２と無線制御部３に接続される。無線受信部２２は、無線制御部３にも接続される。無線送受信部２の各部位は、無線通信装置に実装されたＤＳＰ（Ｄｉｇｉｔａｌ  Ｓｉｇｎａｌ  Ｐｒｏｃｅｓｓｏｒ）やＦＰＧＡ（Ｆｉｅｌｄ  Ｐｒｏｇｒａｍｍａｂｌｅ  Ｇａｔｅ  Ａｒｒａｙ）、電子回路を用いて実現することができる。なお、無線受信部２２は、図２に図示していないが、増幅率が変更可能な受信アンプが実装されている。
【００１９】
（１−２）無線制御部３の構成の説明
次に、図３に示されるように、無線制御部３は、リトライ実行部３１と、リトライ回数保存部３２と、受信レベル（ｂ）演算部３３と、最適リトライ回数（ｄ）演算部３４と、最適アンプ増幅率（ｅ）演算部３５と、通信品質パラメータ（Ｆ）演算部３６から構成される。リトライ実行部３１と、通信品質パラメータ（Ｆ）演算部３６と、受信レベル（ｂ）演算部３３と、最適リトライ回数（ｄ）演算部３４と、最適アンプ増幅率（ｅ）演算部３５は、互いに接続され、さらに無線送受信部２にも接続される。また、通信品質パラメータ（Ｆ）演算部３６は、基地局情報テーブル保存部４と接続される。さらに、リトライ回数保存部３２は、リトライ実行部３１と最適リトライ回数（ｄ）演算部３４に接続される。無線制御部３の各部位は、無線通信装置に実装されたＤＳＰやＦＰＧＡ、電子回路を用いて実現することができる。なお、無線制御部３の各部位は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）を備えても良い。
【００２０】
（１−３）基地局情報テーブル保存部４の構成の説明
基地局情報テーブル保存部４は、無線制御部３の通信品質パラメータ（Ｆ）演算部３６と接続される。基地局情報テーブル保存部４は、ＲＯＭやＲＡＭ、ハードディスク等の磁気ディスクを用いて実現することができる。
【００２１】
以下に、無線送受信部２および無線制御部３の各部位と、基地局情報テーブル保存部４の機能について説明する。
【００２２】
（２）無線通信装置の機能の説明
（２−１）無線送受信部２の各部位の機能の説明
無線送信部２１は、入力された信号に対し、変調等の公知の送信動作を行い、生成した無線信号を出力する。
【００２３】
無線受信部２２は、入力される無線信号の受信レベルａを測定する。また、無線受信部２２は、入力される増幅率、若しくは所定の増幅率で無線信号を増幅する。さらに、無線受信部２２は、増幅した信号に対し、復調等を実施し、ベースバンド信号を生成し、ベースバンド信号と受信レベルａを出力する。
【００２４】
ベースバンド処理部２３は、入力されたベースバンド信号に対し、通信している基地局毎に、公知のベースバンド処理を行い、得られたユーザプレーンデータ（以下、「データ」という）のエラーレートｃを公知の機能で測定する。ベースバンド処理部２３は、エラーレートｃとデータに対し、どの基地局のエラーレートｃ、データかを示す識別子（以下、「基地局識別子」という）を付加する。ベースバンド処理部２３は、基地局識別子を付加したエラーレートｃとデータを出力する。また、ベースバンド処理部２３は、入力されたベースバンド信号を出力する。さらに、ベースバンド処理部２３は、入力されるリトライ回数をベースバンド信号に変換して出力する。
【００２５】
（２−２）無線制御部３の各部位の機能の説明
リトライ実行部３１は、所定のタイミングでリトライ回数を要求する信号を出力する。リトライ実行部３１は、入力された信号に選択基地局識別子を付与し、出力する。選択基地局識別子については、後述の受信レベル（ｂ）演算部３３の機能説明にて説明する。
【００２６】
リトライ回数保存部３２は、入力されたリトライ回数を記憶する。また、リトライ回数保存部３２は、要求が入力されると、記憶するリトライ回数を出力する。
【００２７】
受信レベル（ｂ）演算部３３は、通信している基地局の内、任意の基地局を選択する。さらに、受信レベル（ｂ）演算部３３は、入力されたベースバンド信号から、公知の機能で、選択した基地局の信号の受信レベルｂを測定する。受信レベル（ｂ）演算部３３は、測定した受信レベルｂと、選択した基地局を示す識別子（以下、「選択基地局識別子」という）を出力する。
【００２８】
最適リトライ回数（ｄ）演算部３４は、入力される受信レベルａ、選択基地局識別子、基地局識別子が付加されたエラーレートｃを用いて、通信品質が改善されると想定するリトライ回数を出力する。
【００２９】
最適アンプ増幅率（ｅ）演算部３５は、入力された受信レベルａ、選択基地局識別子、基地局識別子が付加されたエラーレートｃを用いて、通信品質が改善されると想定するアンプ増幅率を出力する。
【００３０】
通信品質パラメータ（Ｆ）演算部３６は、入力されるリトライ回数とアンプ増幅率が所定の条件を満たす場合に、通信品質に対応する値を算出し、出力する。通信品質パラメータ（Ｆ）演算部３６は、通信している全ての基地局分の通信品質に対応する値を出力した場合には、全基地局分の通信品質に対応する値を要求する信号（以下、「要求信号」という）を出力する。通信品質パラメータ（Ｆ）演算部３６は、入力される全基地局分の通信品質に対応する値の内、最も値の大きな値の基地局を通信先として選択する。
【００３１】
（２−３）基地局情報テーブル保存部４の機能の説明
基地局情報テーブル保存部４は、入力される値を基地局毎に記憶する。基地局情報テーブル保存部４は、要求信号が入力されると、全基地局分の記憶する値を出力する。
【００３２】
［無線通信装置の動作の説明］
図４は、第１の実施の形態における無線通信装置が、複数の基地局と無線通信可能な場合を示す図である。図４に示す通り、第１の実施の形態における無線通信装置は、複数の無線基地局配下のセルに位置した場合、これら複数の基地局と通信を行うことが可能である。図５は、本発明の第１の実施の形態における無線通信装置が、通信可能な複数の無線基地局の中から通信先の無線基地局を選択する通信先選択動作を示すシーケンス図である。図５の中で使用しているパラメータの定義は、以下の通りである。
【００３３】
Ｆ  ：  基地局の通信品質に対応する値
Ａ  ：  アンプ増幅率変更後の無線信号の受信レベル
Ｂ  ：  リトライ回数変更後に、基地局から送信されたデータのエラーレート
ａ  ：  アンプ増幅率変更前の無線信号の受信レベル
ｂ  ：  基地局から送信された信号の受信レベル
ｃ  ：  リトライ回数変更前に、基地局から送信されたデータのエラーレート
ｄ  ：  最適なリトライ回数
ｅ  ：  最適なアンプ増幅率
以下に本発明の第１の実施の形態における無線通信装置の動作を説明する。
【００３４】
まず、図５に示す通り、無線通信装置は、無線送受信部２にて、無線伝送路から無線信号を受信し、無線信号の受信レベルａを測定する（Ｓ１００）。
【００３５】
次に、無線通信装置の無線送受信部２は、受信した無線信号に対して復調等を行って生成したベースバンド信号に対し、通信している基地局毎に、公知のベースバンド処理を行い、その結果得られたデータのエラーレートｃを測定する（Ｓ１０１）。
【００３６】
さらに、無線通信装置は、無線送受信部２において測定された受信レベルａ、エラーレートｃ、データを無線制御部３に通知する（Ｓ１０２）。
【００３７】
上述のＳ１００〜Ｓ１０２の処理を行う為に、無線送受信部２の無線受信部２２とベースバンド処理部２３は、以下の動作を行う。
【００３８】
無線受信部２２は、無線伝送路から受信した無線信号の受信レベルａを測定する。受信レベルａは、ＳＮ比（Ｓｉｇｎａｌ  ｎｏｉｓｅ  ｒａｔｉｏ）であってもよいし、ピーク信号対雑音比（ＰＳＮＲ：Ｐｅａｋ  Ｓｉｇｎａｌ  ｔｏ  ｎｏｉｓｅ  ｒａｔｉｏ）であってもよい。次に、無線受信部２２は、所定の増幅率で無線信号を増幅する。所定の増幅率は、本実施のユーザによって無線受信部２２に予め設定される。さらに、無線受信部２２は、増幅した無線信号に対し、復調等を実施して、ベースバンド信号を作成し、作成したベースバンド信号をベースバンド処理部２３に通知する。また、無線受信部２２は、受信レベルａを、最適リトライ回数（ｄ）演算部３４と最適アンプ増幅率（ｅ）演算部３５に通知する。
【００３９】
次に、ベースバンド処理部２３は、公知の機能により、通信している基地局を認識する。ベースバンド処理部２３は、無線受信部２２から受信したベースバンド信号に対し、公知のベースバンド処理を、通信している基地局毎に行い、その結果得られたデータのエラーレートｃを公知の機能で測定する。エラーレートｃは、基地局毎に測定されるが、１つの基地局において複数のデータが測定される場合には、それらのエラーレートの平均値をエラーレートｃとしてもよい。次に、ベースバンド処理部２３は、得られたエラーレートｃ、およびデータに基地局識別子を付加する。ベースバンド処理部２３は、基地局識別子を付加したエラーレートｃを、最適リトライ回数（ｄ）演算部３４と最適アンプ増幅率（ｅ）演算部３５に通知する。また、ベースバンド処理部２３は、基地局識別子を付加したデータを、無線制御部３の受信レベル（ｂ）演算部３３に通知する。また、ベースバンド処理部２３は、ベースバンド信号を無線制御部３の受信レベル（ｂ）演算部３３に通知する。
【００４０】
次に、無線通信装置は、無線制御部３の受信レベル（ｂ）演算部３３にて、公知の機能により、通信している基地局を認識し、通信している基地局の内、任意の基地局を選択する（Ｓ１０３）。なお、上述の任意の基地局は、以下のＳ１０４〜Ｓ１０８を実施したことのない任意の基地局である。
【００４１】
次に、無線通信装置は、無線制御部３の受信レベル（ｂ）演算部３３にて、選択した基地局から送信された信号の受信レベルｂを測定する（Ｓ１０４）。
【００４２】
上述のＳ１０４の処理を行う為に、受信レベル（ｂ）演算部３３は、入力されたベースバンド信号から、公知の機能で、選択した基地局の信号の受信レベルｂを測定する。例えば、無線通信装置がＣＤＭＡ（Ｃｏｄｅ  Ｄｉｖｉｓｉｏｎ  Ｍｕｌｔｉｐｌｅ  Ａｃｃｅｓｓ）方式で基地局と無線通信を行う場合には、ベースバンド信号に対し、選択した基地局に関する公知のレイク合成処理を行い、その結果得られる相関量を受信レベルとしてもよい。また、受信レベル（ｂ）演算部３３は、ベースバンド信号から、選択した基地局の止まり木チャネルを公知の技術で抽出し、その受信レベルを受信レベルｂとして測定してもよい。
【００４３】
次に、無線制御部３の受信レベル（ｂ）演算部３３は、無線制御部３の通信品質パラメータ（Ｆ）演算部３６に対し、測定した受信レベルｂと選択基地局識別子を通知する。また、受信レベル（ｂ）演算部３３は、選択基地局識別子を、最適リトライ回数（ｄ）演算部３４、最適アンプ増幅率（ｅ）演算部３５、リトライ実行部３１、および通信品質パラメータ（Ｆ）演算部３６に通知する。
【００４４】
次に、無線通信装置は、無線制御部３の最適リトライ回数（ｄ）演算部３４と最適アンプ増幅率（ｅ）演算部３５にて、通信品質が改善されると想定する最適なリトライ回数ｄと最適なアンプ増幅率ｅを算出する（Ｓ１０５）。
【００４５】
Ｓ１０５の処理を行う為に、最適リトライ回数（ｄ）演算部３４は、無線送受信部２から通知された受信レベルａ、および基地局識別子が付加されたエラーレートｃ、さらに受信レベル（ｂ）演算部３３から通知された選択基地局識別子を用いて、以下の動作を行う。
【００４６】
・最適リトライ回数（ｄ）演算部３４は、選択基地局識別子から、受信レベル（ｂ）演
算部３３が選択した基地局（以下、「選択した基地局」という）を認識し、選択した基
地局のエラーレートｃを基地局識別子から認識する。次に、最適リトライ回数（ｄ）
演算部３４は、受信レベルａが一定値以上の場合、選択した基地局のエラーレートｃ
の値に対応した所定の回数を、最適なリトライ回数ｄとする。一定値と所定の回数は、
本実施のユーザが最適リトライ回数（ｄ）演算部３５に設定する値である。例えば、
本実施のユーザは、エラーレートｃが０〜２５％の時、リトライ回数ｄ＝１回、ｃが
２６〜５０％の時、リトライ回数ｄ＝２回、ｃが５１〜７５％の時、リトライ回数ｄ
＝３回、ｃが７６〜１００％の時、リトライ回数ｄ＝4回と、最適リトライ回数（ｄ）
演算部３５に設定してもよい。但し、ａの値が一定以下の場合は、いくらリトライし
ても、通信品質はよくならないため、その時点で基地局候補から外す。すなわち、最
適リトライ回数（ｄ）演算部３４は、図５に図示していないが、値０の通信品質を示
す値Ｆを基地局情報テーブル保存部４に通知する。最適リトライ回数（ｄ）演算部３
４は、通信品質を示す値Ｆとして値０を通知し、以降のＳ１０６〜Ｓ１１０の動作を
スキップして、Ｓ１１２の動作を実施する。最適リトライ回数（ｄ）演算部３４は、
最適なリトライ回数ｄを算出した場合には、最適なリトライ回数ｄを、選択基地局
識別子と共に、リトライ回数保存部３２に通知する。
【００４７】
次に、Ｓ１０５に上述した、最適なアンプ増幅率ｅを算出する為に、最適アンプ増幅率（ｅ）演算部３５は、無線送受信部２から通知された受信レベルａ、および基地局識別子が付加されたエラーレートｃ、さらに受信レベル（ｂ）演算部３３から通知された選択基地局識別子を用いて、以下の動作を行う。
【００４８】
・最適アンプ増幅率（ｅ）演算部３５は、選択基地局識別子から、受信レベル（ｂ）演
算部３４が選択した基地局（以下、「選択した基地局」という）を認識し、選択した基
地局のエラーレートｃを基地局識別子から認識する。次に、最適アンプ増幅率（ｅ）
演算部３５は、選択した基地局のエラーレートｃが一定値以上の場合、受信レベルａ
の値に対応した所定の増幅率を最適なアンプ増幅率ｅとする。一定値と所定の増幅率
は、本実施のユーザが最適アンプ増幅率（ｅ）演算部３５に設定する値である。例え
ば、本実施の形態のユーザは、受信レベルａが−７５〜−８５ｄＢｍの時、アンプ増
幅率ｅ＝１０％と設定してもよい。
【００４９】
次に、無線通信装置は、無線制御部３にて、算出した最適なリトライ回数ｄと最適なアンプ増幅率ｅに基づいて、リトライ回数とアンプ増幅率の変更を行う（Ｓ１０６）。
【００５０】
上述のＳ１０６の処理を行う為に、無線制御部３の最適アンプ増幅率（ｅ）演算部３５、リトライ実行部３１、及びリトライ回数保存部３２は、以下の動作を行う。
【００５１】
まず、最適アンプ増幅率（ｅ）演算部３５は、無線送受信部２の無線受信部２２に最適なアンプ増幅率ｅを通知する。無線受信部２２は、最適アンプ増幅率（ｅ）演算部３５から受信したアンプ増幅率ｅ分、無線信号を増幅する。また、最適リトライ回数（ｄ）演算部３４は、最適なリトライ回数ｄと選択基地局識別子をリトライ回数保存部３２に通知する。リトライ回数保存部３２は、最適リトライ回数（ｄ）演算部３４から通知されたリトライ回数ｄを選択基地局識別子と共に記録する。次に、リトライ実行部３１は、所定のタイミングでリトライ回数を要求する信号をリトライ回数保存部３２に通知する。リトライ回数を要求する信号には、受信レベル（ｂ）演算部３３から受信した選択基地局識別子が含まれる。また、所定のタイミングは本実施のユーザがリトライ回数保存部３２に設定する値である。リトライ回数保存部３２は、リトライ回数を要求する信号を受信すると、選択基地局識別子に対応するリトライ回数ｄをリトライ実行部３１に通知する。その後、リトライ実行部３１は、リトライ回数と選択基地局識別子をベースバンド処理部２３に通知する。ベースバンド処理部２３は、リトライ回数に対し、選択基地局識別子が示す基地局に関する公知のベースバンド処理を行い、その信号を無線送信部２１に通知する。さらに、無線送信部２１は、ベースバンド処理部２３から受信した信号を無線信号にして基地局に出力する。基地局は、公知の手段でリトライ信号を受信し、自身のベースバンド処理部にリトライ回数を設定する。
【００５２】
次に、無線制御部３の通信品質パラメータ（Ｆ）演算部３６は、アンプ増幅率変更後に無線信号の受信レベルＡを求め、さらに、リトライ回数送信後にデータのエラーレートＢを基地局毎に求める（Ｓ１０７）。
【００５３】
上述のＳ１０７の処理を行う為に、無線送受信部２の無線受信部２２、ベースバンド処理部２３、及び無線送制御部３の通信品質パラメータ（Ｆ）演算部３６は、以下の動作を行う。
【００５４】
まず、無線受信部２２とベースバンド処理部２３は、上述のＳ１００〜１０２の動作を行い、測定された受信レベルａとエラーレートｃを通信品質パラメータ（Ｆ）演算部３６に通知する。通信品質パラメータ（Ｆ）演算部３６は、通知された受信レベルａとエラーレートｃを、受信レベルＡとエラーレートＢとする。また、通信品質パラメータ（Ｆ）演算部３６は、最適リトライ回数（ｄ）演算部３４と最適アンプ増幅率（ｅ）演算部３５から最適なリトライ回数ｄ、及び最適なアンプ増幅率ｅを受信する。
【００５５】
次に、無線制御部３の通信品質パラメータ（Ｆ）演算部３６は、上述のＳ１０７で求めた受信レベルＡ、エラーレートＢの増減を確認する（Ｓ１０８）。すなわち、通信品質パラメータ（Ｆ）演算部３６は、アンプ増幅率ｅを増加した結果、受信レベルＡが所定のレベル以上増加したのか、またリトライ回数ｄを増加した結果、エラーレートＢが所定のエラーレート以下低減したのかを確認する。所定のレベル、所定のエラーレートは、本実施のユーザが通信品質パラメータ（Ｆ）演算部３６に設定する。
【００５６】
次に、Ｓ１０８の確認の結果、受信レベルＡが所定のレベル以上増加し、エラーレートＢが所定のエラーレート以下低減した場合には、通信品質パラメータ（Ｆ）演算部３６は、選択した基地局の通信品質に対応する値Ｆを以下の式１を用いて算出する（Ｓ１０９）。
【００５７】
Ｆ（Ａ，Ｂ）  ＝  Ａ×ｂ／（Ｂ＋１）                    （式１）
値Ｆは、受信レベルＡが大きいほどその値が大きくなる。また、エラーレートが低いほ
ど値Ｆは、大きくなる。従い、Ｆは、その値が大きいほど、通信品質が良いことを表す。
【００５８】
なお、受信レベルＡが所定のレベル以上増加しない場合、若しくはエラーレートＢが所定のエラーレート以下低減しない場合は、無線制御部３の通信品質パラメータ（Ｆ）演算部３６は、式１に基づいて、選択した基地局の通信品質に対応する値Ｆを算出しない。
【００５９】
また、通信品質パラメータ（Ｆ）演算部３６は、選択した基地局の通信品質に対応する値Ｆを以下の式２を用いて算出してもよい。
【００６０】
Ｆ（Ａ，Ｂ）  ＝  Ａ  ／  Ｂ                              （式２）
通信品質パラメータ（Ｆ）演算部３６は、式１で値Ｆを求める場合に比べて、処理量を減らすことができる。なお、通信品質パラメータ（Ｆ）演算部３６は、通信品質に対応する値Ｆを算出する式として、受信レベルＡに対して単調増加し、エラーレートＢに対して単調減少する式であれば、式１、２に限らず、いかなる式でも採用することができる。
【００６１】
次に、無線通信装置の通信品質パラメータ（Ｆ）演算部３６は、算出した通信品質を示す値Ｆを、選択基地局識別子と共に、基地局情報テーブル保存部４に通知する（Ｓ１１０）。なお、通信品質パラメータ（Ｆ）演算部３６は、通信品質を示す値Ｆを算出しない場合、値０を選択基地局識別子と共に、基地局情報テーブル保存部４に通知する。
【００６２】
さらに、基地局情報テーブル保存部４は、選択基地局識別子毎、すなわち基地局毎に、受信した通信品質を示す値Ｆを記録する（Ｓ１１１）。ここで、図６は、基地局情報テーブル保存部４が通信品質を示す値Ｆを記録した状態を示す図である。図６の通り、基地局情報テーブル保存部４は、基地局毎に、受信した通信品質を示す値Ｆを記録する。
【００６３】
次に、無線通信装置の通信品質パラメータ（Ｆ）演算部３６は、通信している全ての基地局について、通信品質を示す値Ｆを基地局情報テーブル保存部４に通知したかを判断する（Ｓ１１２）。全ての基地局について、通信品質に対応する値Ｆを通知していた場合、無線通信装置の通信品質パラメータ（Ｆ）演算部３６は、次の処理、すなわちＳ１１３の処理を実行する。全ての基地局について、通信品質に対応する値Ｆを通知していない場合、通信品質パラメータ（Ｆ）演算部３６は、値Ｆを通知していない基地局について再度Ｓ１０３〜Ｓ１１１の動作を実施することを決定する。
【００６４】
次に、無線制御部３の通信品質パラメータ（Ｆ）演算部３６は、基地局情報テーブル保存部４に対し、記録している通信品質に対応する値Ｆを全基地局分、通知するよう要求する（Ｓ１１３）。
【００６５】
基地局情報テーブル保存部４は、基地局の通信品質に対応する値Ｆを、全基地局分、無線制御部３の通信品質パラメータ（Ｆ）演算部３６に通知する（Ｓ１１４）。
【００６６】
無線制御部３の通信品質パラメータ（Ｆ）演算部３６は、通信品質を示す値Ｆを全基地局分比較し、最も値の大きなＦの基地局を通信先として選択する（Ｓ１１５）。なお、通信品質パラメータ（Ｆ）演算部３６は、最も値の大きなＦが所定の値以上であることを確認し、そのＦの基地局を通信先として選択してもよい。所定の値は、本実施の形態のユーザが、通信品質パラメータ（Ｆ）演算部３６に設定する値である。
【００６７】
なお、本実施形態の無線通信装置は、通信先として選択した基地局と通信する際、その基地局について算出した最適なリトライ回数ｄ、及び最適なアンプ増幅率ｅにて、基地局と通信をおこなってもよい。
【００６８】
［効果の説明］
本実施の形態では、選択処理を行う無線通信装置は、複数の通信可能な無線基地局の中から通信に最適な基地局を選択できるようになる。
【００６９】
本実施の形態の無線通信装置は、受信レベルやエラーレートが改善するアンプ増幅率やリトライ回数を設定した上で、真に受信レベルが最も高い基地局、若しくは真にエラーレートが最も良い基地局を選択するからである。
【００７０】
［第２の実施の形態］
次に、本発明の第２の実施の形態について説明する。
【００７１】
［構成の説明］
図７は、本発明の第２の実施の形態における無線通信装置の構成を示す図である。
【００７２】
第２の実施の形態における無線通信装置は、複数の通信可能な無線基地局の中から通信先の無線基地局を選択する無線通信装置であって、最適アンプ増幅率演算部５００と、無線受信部５１０と、ベースバンド処理部５２０、通信品質パラメータ演算部５３０から構成される。
【００７３】
最適アンプ増幅率演算部５００は、受信した無線信号の受信レベルに対応した所定の増幅率を求める。
【００７４】
無線受信部５１０は、所定の増幅率で、受信した無線信号を増幅する。
【００７５】
ベースバンド処理部５２０は、通信可能な前記無線基地局毎に、増幅した無線信号から無線基地局が送信したデータを抽出し、前記データのエラーレートを測定する。
【００７６】
通信品質パラメータ演算部５３０は、エラーレートを用いて通信品質に対応する値を算出する。通信品質パラメータ演算部５３０は、少なくとも１つの通信品質に対応する値の内、最も大きな値の無線基地局を通信先の無線基地局とする。
【００７７】
［動作の説明］
まず、最適アンプ増幅率演算部５００は、受信した無線信号の受信レベルに対応した所定の増幅率を求める。次に、無線受信部５１０は、所定の増幅率で、受信した無線信号を増幅する。さらに、ベースバンド処理部５２０と通信品質パラメータ演算部５３０は、通信可能な前記無線基地局毎に以下の処理を行う。
【００７８】
・ベースバンド処理部５２０は、増幅した無線信号から無線基地局が送信したデータを
抽出し、データのエラーレートを測定する。データの抽出は、公知のベースバンド処
理で実施する。
【００７９】
・次に、通信品質パラメータ演算部５３０は、エラーレートを用いて通信品質に対応す
る値を算出する。通信品質に対応する値は、例えば、エラーレートに対し単調増加す
る値であってもよい。
【００８０】
さらに、通信品質パラメータ演算部５３０は、算出した値の内、最も大きな値の無線基地局を通信先の無線基地局とする。
【００８１】
［効果の説明］
本実施の形態では、選択処理を行う無線通信装置は、複数の通信可能な無線基地局の中から通信に最適な基地局を選択できるようになる。
【００８２】
本実施の形態の無線通信装置は、エラーレートが改善するアンプ増幅率を設定した上で、真に通信品質が最も良い基地局基地局を選択するからである。
【００８３】
なお、上述した実施の形態は、その形態に限定されるものではなく、実施段階ではその要旨を逸脱しない範囲で種々変更可能である。
【００８４】
上記の実施形態の一部又は全部は、以下の付記のようにも記載されうるが、以下には限られない。
（付記１）
複数の通信可能な無線基地局の中から通信先の無線基地局を選択する無線通信装置であって、
受信した無線信号の受信レベルに対応した所定の増幅率を求める最適アンプ増幅率演算部と、
前記所定の増幅率で、受信した前記無線信号を増幅する無線受信部と、
通信可能な前記無線基地局毎に、増幅した前記無線信号から前記無線基地局が送信したデータを抽出し、前記データのエラーレートを測定するベースバンド処理部と、
前記エラーレートを用いて通信品質に対応する値を算出する通信品質パラメータ演算部と、
を備え、
前記通信品質パラメータ演算部は、算出した前記通信品質に対応する値の内、最も大きな値の前記無線基地局を通信先の前記無線基地局とする、
ことを特徴とする無線通信装置。
（付記２）
前記通信品質パラメータ演算部は、前記エラーレートが所定の値以下である場合に、前記通信品質に対応する値を算出する、
ことを特徴とする付記１の無線通信装置。
（付記３）
前記通信品質パラメータ演算部は、前記エラーレートに加えて、前記受信した無線信号の受信レベルも用いて通信品質に対応する値を算出する、
ことを特徴とする付記１乃至２のいずれか１項に記載の無線通信装置。
（付記４）
受信した前記無線信号の前記受信レベルが所定値以上の場合に、前記エラーレートに対応した所定のリトライ回数を求める最適リトライ回数演算部と、
前記所定のリトライ回数を前記無線基地局へ送信するリトライ実行部と、
前記無線基地局から送信された信号の前記受信レベルを測定する受信レベル演算部と、を備え、
前記無線受信部は、増幅した前記無線信号の前記受信レベルを測定し、通信可能な前記無線基地局毎に、前記最適リトライ回数演算部は、所定のリトライ回数を求め、前記リトライ実行部は、前記リトライ回数を前記無線基地局へ送信し、前記通信品質パラメータ演算部は、前記エラーレートが所定の値以下である場合に前記通信品質に対応する値を算出するのではなく、前記エラーレートが所定の値以下で、且つ前記無線受信部が測定した前記受信レベルが所定の値以上である場合に、前記エラーレートに加えて、前記無線受信部が測定した前記受信レベルと、前記受信レベル演算部が測定した前記受信レベルとを用いて、前記通信品質に対応する値を算出する、
ことを特徴とする、付記１乃至２のいずれか１項に記載の無線通信装置。
（付記５）
前記通信品質パラメータ演算部は、前記無線受信部が測定した前記受信レベルに対して単調増加し、前記エラーレートに対して単調減少する式で、前記通信品質に対応する値を算出する、
ことを特徴とする、付記４に記載の無線通信装置。
（付記６）
前記通信品質パラメータ演算部は、算出した前記通信品質に対応する値の内、所定の値以上で、最も大きな値の前記無線基地局を通信先の前記無線基地局とする、
ことを特徴とする、付記１乃至５のいずれか１項に記載の無線通信装置。
（付記７）
無線通信装置と無線通信を行う無線基地局であって、
前記無線基地局は、前記無線通信装置から通知された所定の回数分、データを再送することが可能なベースバンド処理部を備えることを特徴とする無線基地局。
（付記８）
無線通信装置と無線基地局が無線通信を行う無線通信システムであって、
前記無線通信装置は、付記４乃至６のいずれか１項に記載の無線通信装置であり、
前記無線基地局は、付記７に記載の無線基地局である、
ことを特徴とする、無線通信システム。
（付記９）
通信可能な複数の無線基地局の中から通信先の無線基地局を選択する通信先選択方法であって、
受信した無線信号の受信レベルに対応した所定の増幅率を求め、前記所定の増幅率で、受信した前記無線信号を増幅し、通信可能な前記無線基地局毎に、増幅した前記無線信号から前記無線基地局が送信したデータを抽出し、前記データのエラーレートを測定し、前記エラーレートを用いて通信品質に対応する値を算出して、算出した前記通信品質に対応する値の内、最も大きな値の前記無線基地局を通信先の前記無線基地局とする、
ことを特徴とする、通信先選択方法。
（付記１０）
複数の通信可能な無線基地局の中から通信先の無線基地局を選択する通信先選択方法であって、
通信可能な前記無線基地局毎に、受信した前記無線信号の前記受信レベルが所定値以上の場合に前記エラーレートに対応した所定のリトライ回数を求め、前記所定のリトライ回数を前記無線基地局へ送信し、また、前記無線基地局から送信された信号の前記受信レベル、および増幅した前記無線信号の前記受信レベルを測定し、前記エラーレートが所定の値以下で、且つ増幅した前記無線信号の前記受信レベルが所定の値以上である場合に、前記エラーレートに加え、増幅した前記無線信号の前記受信レベルと、前記無線基地局から送信された信号の前記受信レベルとを用いて、前記通信品質に対応する値を算出する、
ことを特徴とする、付記９に記載の通信先選択方法。
（付記１１）
前記通信品質パラメータ演算部は、
Ａ×ｂ／（Ｂ＋１）
但し、Ａ：前記無線受信部が測定した前記受信レベル
ｂ：前記受信レベル演算部が測定した前記受信レベル
Ｂ：前記エラーレート
なる式で前記通信品質に対応する値を算出する、
ことを特徴とする、付記５に記載の無線通信装置。
【符号の説明】
【００８５】
２    無線送受信部
３    無線制御部
４    基地局情報テーブル保存部
２１    無線送信部
２２    無線受信部
２３    ベースバンド処理部
３１    リトライ実行部
３２    リトライ回数保存部
３３    受信レベル（ｂ）演算部
３４    最適リトライ回数（ｄ）演算部
３５    最適アンプ増幅率（ｅ）演算部
３６    通信品質パラメータ（Ｆ）演算部
５００    最適アンプ増幅率演算部
５１０    無線受信部
５２０    ベースバンド処理部
５３０    通信品質パラメータ演算部
【図１】
2013207684.tif 000003
【図２】
2013207684.tif 000004
【図３】
2013207684.tif 000005
【図４】
2013207684.tif 000006
【図５】
2013207684.tif 000007
【図６】
2013207684.tif 000008
【図７】
2013207684.tif 000009